(57)【要約】      （修正有）【課題】塗布や洗浄、さらには清掃などを確実に行うことが可能である。【解決手段】基材にブラシ毛材を突出させてなるブラシ本体を有するブラシ用具であり、ブラシ毛材は、基材に設けられたブラシ根元部４ａ１と、このブラシ根元部４ａ１から先端方向へ延びるブラシ自由端部４ａ２と、を有し、ブラシ自由端部４ａ２の径を、ブラシ根元部４ａ１の径より小さくし、ブラシ自由端部４ａ２の先端を、尖らない形状にした。また、ブラシ自由端部４ａ２は、先端方向へ延びるに従い徐々に小径にし、また一定の径で先端方向へ延び、また一定の径で先端方向へ延びる複数段部を有し、また先端を加工した変形部を有する。【選択図】図３
2012034892.tif 000002
【特許請求の範囲】
【請求項１】
基材にブラシ毛材を突出させてなるブラシ本体を有するブラシ用具であり、
前記ブラシ毛材は、前記基材に設けられたブラシ根元部と、このブラシ根元部から先端方向へ延びるブラシ自由端部と、を有し、
前記ブラシ自由端部の径を、前記ブラシ根元部の径より小さくし、
前記ブラシ自由端部の先端を、尖らない形状にしたことを特徴とするブラシ用具。
【請求項２】
前記ブラシ自由端部は、先端方向へ延びる従い徐々に小径にしたことを特徴とする請求項１に記載のブラシ用具。
【請求項３】
前記ブラシ自由端部は、一定の径で先端方向へ延びることを特徴とする請求項１に記載のブラシ用具。
【請求項４】
前記ブラシ自由端部は、一定の径で先端方向へ延びる複数段部を有することを特徴とする請求項１に記載のブラシ用具。
【請求項５】
前記ブラシ自由端部は、先端を加工した変形部を有することを特徴とする請求項１に記載のブラシ用具。
【発明の詳細な説明】
【技術分野】
【０００１】
この発明は、塗布や洗浄、さらには清掃などを確実に行うことが可能なブラシ用具に関するものである。
【背景技術】
【０００２】
従来からブラシ用具として化粧用ブラシがあり、基材から外方にブラシ毛材を突出させてなるブラシ本体を有し、例えば皮膚のマッサージ、皮膚の洗浄、油成分の除去、化粧料の塗布や洗浄、身体の洗浄などに用いられている。この化粧用ブラシは、ポリアミド、ポリアクリル、ポリエステルなどの樹脂繊維をブラシ毛材として用い、このブラシ毛材をそれぞれ所定の長さに切断し、この切断した同じ太さのブラシ毛材を集めて束にしたものがある。
【０００３】
このような化粧用ブラシには、所定の長さに切断した同じ太さのブラシ毛材の切断部を球状に加工したもの（引用文献１〜３）、また切断部を曲げ加工したものがある（引用文献３〜５）。
【０００４】
また、例えばマスカラブラシには、塗布液容器の取出口から、キャップに固着された基材の先端に設けられたブラシ本体を出し入れすることにより、ブラシ本体を塗布液としてのマスカラに浸して外部に取り出すようになされているものがある（引用文献６）。
【０００５】
この塗布液容器の取出口の内側には、柔軟性を持ったゴム材でなる円環状のしごき部材が設けられ、ブラシ本体を取出口から引き抜くとき、ブラシ本体の周囲に付着している余分な塗布液を小さい内径を有するしごき部材によってしごき落とすことにより、外部に取り出したブラシ本体から塗布液をぼた落ちさせないように構成されている。
【先行技術文献】
【特許文献】
【０００６】
【特許文献１】特開平６−２２８１５
【特許文献２】特開平５−２２８０１８
【特許文献３】特開２００３−７９４２７
【特許文献４】特開２００３−１８９９３０
【特許文献５】特表２０００−５０５６６９
【特許文献６】特開２００９−２０１８９３
【発明の概要】
【発明が解決しようとする課題】
【０００７】
従来の所定の長さに切断した同じ太さのブラシ毛材の切断部を球状に加工したもの（引用文献１〜３）や切断部を曲げ加工したもの（引用文献３〜５）では、ブラシ毛材として樹脂繊維を用い、必要な長さに切断して束ねており、ブラシ毛材のブラシ根元部から毛先のブラシ自由端部まで同じ太さである太い糸を用いた場合には、硬くてブラシ自由端部が跳ねることがあり、このブラシ自由端部が皮膚に接触した際に無用な刺激を与えるおそれがある。また、化粧料の塗布や洗浄を行う場合には、液がブラシ毛材の毛先のブラシ自由端部の跳ねによって液が飛び散り周囲を汚すことがある。
【０００８】
このため、例えば、ブラシ毛材に細い系を用いると、ブラシ根元部から毛先のブラシ自由端部まで柔軟性がありすぎブラシ毛材に腰の強さがない。このため塗布や洗浄では、ブラシ毛材が横に寝てしまいブラシ毛材の側面でただ滑るようになでてしまい塗布や洗浄の効果が得られない。
【０００９】
また、ブラシ毛材が同じ太さの細い糸を用いると、化粧料が特に口紅やマスカラ、アイライ等では、化粧料の粘性が高いので、引用文献６に示すような塗布液容器を用いた場合には、ブラシ本体を塗布液容器から引き抜いたとき、ブラシ毛材がしごき部材によって引き抜き方向と逆方向に押し付けられることにより、その方向に一斉に倒れるような動作をし、このときのしごき部材の締りによってブラシ毛材が化粧料の粘性に負けてブラシ中心方向に寝てしまい、液を塗布する効果が得られなかった。
【００１０】
この発明は、以上の点を考慮してなされたもので、塗布や洗浄、さらには清掃などを確実に行うことが可能なブラシ用具を提供することを目的とする。
【課題を解決するための手段】
【００１１】
前記課題を解決し、かつ目的を達成するために、この発明は、以下のように構成した。
【００１２】
請求項１に記載の発明は、基材にブラシ毛材を突出させてなるブラシ本体を有するブラシ用具であり、
前記ブラシ毛材は、前記基材に設けられたブラシ根元部と、このブラシ根元部から先端方向へ延びるブラシ自由端部と、を有し、
前記ブラシ自由端部の径を、前記ブラシ根元部の径より小さくし、
前記ブラシ自由端部の先端を、尖らない形状にしたことを特徴とするブラシ用具である。
【００１３】
請求項２に記載の発明は、前記ブラシ自由端部は、先端方向へ延びる従い徐々に小径にしたことを特徴とする請求項１に記載のブラシ用具である。
【００１４】
請求項３に記載の発明は、前記ブラシ自由端部は、一定の径で先端方向へ延びることを特徴とする請求項１に記載のブラシ用具である。
【００１５】
請求項４に記載の発明は、前記ブラシ自由端部は、一定の径で先端方向へ延びる複数段部を有することを特徴とする請求項１に記載のブラシ用具である。
【００１６】
請求項５に記載の発明は、前記ブラシ自由端部は、先端を加工した変形部を有することを特徴とする請求項１に記載のブラシ用具である。
【発明の効果】
【００１７】
請求項１に記載の発明では、ブラシ毛材は、ブラシ根元部の径よりブラシ自由端部の径を小さくし、さらにブラシ自由端部の先端を、尖らない形状にしたことで、使用時にブラシ根元部によって強さがあり、しかもブラシ自由端部によって柔軟性があることから、塗布や洗浄、さらには清掃などを確実に行うことが可能である。例えば、化粧用ブラシでは、ブラシ自由端部が皮膚に接触した際に無用な刺激を与えるおそれがなく、また化粧液がブラシ毛材のブラシ自由端部の跳ねによって飛び散り周囲を汚すことがない。
【００１８】
請求項２に記載の発明では、ブラシ自由端部は、先端方向へ延びる従い徐々に小径にしたことで、ブラシ自由端部によって塗布や洗浄、さらには清掃などを確実に行うことが可能である。
【００１９】
請求項３に記載の発明では、ブラシ自由端部は、一定の径で先端方向へ延びることで、ブラシ自由端部によって塗布や洗浄、さらには清掃などを確実に行うことが可能である。
【００２０】
請求項４に記載の発明では、ブラシ自由端部は、一定の径で先端方向へ延びる複数段部を有することで、ブラシ自由端部によって塗布や洗浄、さらには清掃などを確実に行うことが可能である。
【００２１】
請求項５に記載の発明では、ブラシ自由端部は、先端を加工した変形部を有することで、変形部によって塗布や洗浄、さらには清掃などを確実に行うことが可能である。
【図面の簡単な説明】
【００２２】
【図１】第１の実施の形態の化粧用ブラシの斜視図である。
【図２】ブラシ本体の側面図である。
【図３】ブラシ毛材の構成を説明する図である。
【図４】ブラシ毛材の成形を説明する図である。
【図５】化粧用ブラシをマスカラに浸して外部に取り出す使用を説明する図である。
【図６】化粧用ブラシの使用を説明する図である。
【図７】ブラシ毛材を示す図である。
【図８】他のブラシ毛材を示す図である。
【図９】第２の実施の形態の化粧用ブラシを説明する図である。
【図１０】第３の実施の形態の化粧用ブラシを説明する図である。
【図１１】第４の実施の形態の掃除用ブラシを説明する図である。
【発明を実施するための形態】
【００２３】
以下、この発明のブラシ用具の実施の形態について説明する。この発明の実施の形態は、発明の最も好ましい形態を示すものであり、化粧用ブラシ、歯ブラシ、掃除用ブラシについて説明するが、この発明はこれに限定されない。
【００２４】
［第１の実施の形態］
この実施の形態の化粧用ブラシ１は、マスカラブラシであり、図１に示すように、化粧用ブラシ１は、キャップに差し込み保持される円筒状の支持部２を閉塞する先端部材２ａに基材３が突出保持されている。
【００２５】
基材３には、多数の糸４ａで構成されたブラシ毛材４が放射方向に外方に延長するように植毛され、これによりブラシ本体５が構成されている。
【００２６】
基材３は、１本の線材を折り返してなる２本の線材３ａ及び３ｂ間に、矢印ａで示す長さ方向に、ブラシ毛材４を構成する多数の糸４ａを配列させた状態でより合わせることにより、線材３ａ及び３ｂの接触面でなる螺旋状保持面３ｃによって糸４ａを挟着保持することにより、基材３から放射方向に外方にブラシ毛材４の糸４ａを延長させるような構成を形成している。
【００２７】
このようにして、ブラシ毛材４は、螺旋状保持面３ｃに沿う方向に糸４ａを整列させた構成を有し、ブラシ本体５は基材３から外方にブラシ毛材４を突出させてなる。
【００２８】
このブラシ毛材４の糸４ａは、図３に示すように、基材３に設けられたブラシ根元部４ａ１と、このブラシ根元部４ａ１から外方へ延びるブラシ自由端部４ａ２とを有している。このブラシ自由端部４ａ２の径は、ブラシ根元部４ａ１の径より小さくし形成され、ブラシ自由端部４ａ２の先端を、尖らない形状に形成されている。
【００２９】
図３（ａ）の実施の形態では、ブラシ根元部４ａ１と、ブラシ自由端部４ａ２は、一定の径で先端方向へ延び、ブラシ自由端部４ａ２の小径部４ａ２０の先端は延び方向に対して直交するように切断して尖らない形状にしている。
【００３０】
図３（ｂ）の実施の形態では、ブラシ根元部４ａ１と、ブラシ自由端部４ａ２は、一定の径で先端方向へ延び、このブラシ自由端部４ａ２は、一定の径で先端方向へ延びる段部４ａ２１，４ａ２２を有する構成であり、２個の段部を形成しているが、複数段部であればよく、この先端は延び方向に対して直交するように切断して尖らない形状にしている。
【００３１】
図３（ｃ）の実施の形態では、ブラシ根元部４ａ１は、一定の径で先端方向へ延びるが、ブラシ自由端部４ａ２は、先端方向へ延びる従い徐々に小径にし、この小径部４ａ２３の先端は延び方向に対して直交するように切断して尖らない形状にしている。
【００３２】
このブラシ毛材４の糸４ａは、ポリアミド、ポリアクリル、ポリエステルなどの樹脂繊維を用いて、図４に示すようにして、ブラシ根元部４ａ１と、ブラシ自由端部４ａ２が加工される。ブラシ毛材４の糸４ａの太さは、ブラシ根元部４ａ１において０．１０〜０．２０（ｍｍ）に選定され、ブラシ自由端部４ａ２において０．００１〜０．０５（ｍｍ）に選定される。
【００３３】
図４（ａ）の実施の形態では、ブラシ毛材４の糸４ａの一部を溶解液１００に所定時間浸すことで、浸した部分が同じ太さで小径になり、図３（ａ）の実施の形態のブラシ根元部４ａ１と、ブラシ自由端部４ａ２が形成される。また、同様にして、ブラシ毛材４の糸４ａの一部を溶解液１００に所定時間、２回に分けて浸すことで、図３（ｂ）の実施の形態のブラシ根元部４ａ１と、ブラシ自由端部４ａ２が形成される。
【００３４】
図４（ｂ）の実施の形態では、ブラシ毛材４の糸４ａの一部を溶解液１００に浸し、少しずつ所定時間を掛けて溶解液１００から露出させることで、図３（ｃ）の実施の形態のブラシ根元部４ａ１と、ブラシ自由端部４ａ２が形成される。この実施の形態では、溶解液によってブラシ毛材４にブラシ根元部４ａ１と、ブラシ自由端部４ａ２を形成しているが、熱加工、研磨加工、プレス加工等でも形成することができる。
【００３５】
この化粧用ブラシ１の使用は、図５に示すように、塗布液容器２００の取出口２０１から、キャップ２０２に固着された基材３に設けられたブラシ本体５を出し入れすることにより、ブラシ本体５を塗布液としてのマスカラに浸して外部に取り出す。
【００３６】
取出口２０１の内側には、柔軟性を持ったゴム材でなる円環状のしごき部材２１０が設けられ、ブラシ本体５を取出口２０１から引き抜くとき、ブラシ本体５の周囲に付着している余分な塗布液を小さい内径を有するしごき部材２１０によってしごき落とす。
【００３７】
このように、ブラシ毛材４は、それ自体一定の剛性をもっているので、しごき部材２１０を通るとき一端一斉に倒れるが、しごき部材２１０を通過した後は、ブラシ根元部４ａ１の復元力によって起立するので、塗布液はこの起立したブラシ毛材４の表面に付着したまま残る。
【００３８】
したがって、図６（ａ）に示すように、ブラシ毛材４の各糸４ａのブラシ自由端部４ａ２に付着した塗布液を用いてまつ毛９０に塗布できる。このまつ毛９０の根元に塗布液を塗布する際に、図６（ｂ）に示すように、糸４ａのブラシ自由端部４ａ２の先端が目の周りの皮膚に触れたとしても、ブラシ自由端部４ａ２の太さを細くしたことにより、皮膚に対して柔らかく接触することができるので、たとえ何回も塗布操作をしたとしても、皮膚に対する負担を大きくしないようにできる。
【００３９】
また、皮膚に対する塗布液の量が多くなり過ぎたとき、糸４ａのブラシ自由端部４ａ２の先端が柔らかく皮膚に接触する利点を利用して、余分に塗り過ぎた部分に糸４ａのブラシ自由端部４ａ２の先端を拭くように接触させることにより、余分な塗布液を除去することができる。
【００４０】
また、ブラシ毛材４の糸４ａのブラシ自由端部４ａ２は、図７及び図８に示すように、外方へ延びる先端を加工した変形部４ａ３を有するように形成してもよい。図７は図３（ａ）の実施の形態を示し、図８は図３（ｃ）の実施の形態を示している。
【００４１】
図７（ａ）及び図８（ａ）の実施形態の変形部４ａ３は、先端につば部を形成し、図７（ｂ）及び図８（ｂ）の実施形態の変形部４ａ３は、先端を玉形状に形成し、図７（ｃ）及び図８（ｃ）の実施形態の変形部４ａ３は、先端を半玉形状に形成し、図７（ｄ）及び図８（ｄ）の実施形態の変形部４ａ３は、先端を折り曲げ、図７（ｅ）及び図８（ｅ）の実施形態の変形部４ａ３は、先端を鍵状に折り曲げ、図７（ｆ）及び図８（ｆ）の実施形態の変形部４ａ３は、先端を矢状に形成し、図７（ｇ）及び図８（ｇ）の実施形態の変形部４ａ３は、先端を放射状に広げ、図７（ｈ）及び図８（ｈ）の実施形態の変形部４ａ３は、先端を−状に広げ、図７（ｉ）及び図８（ｉ）の実施形態の変形部４ａ３は、先端を星状に広げ、図７（ｊ）及び図８（ｊ）の実施形態の変形部４ａ３は、先端を波状に曲げたものである。この変形部４ａ３は、熱加工、研磨加工、プレス加工等で形成される。
【００４２】
このように、ブラシ自由端部４ａは、外方へ延びる先端を加工した変形部４ａ３を有し、この変形部４ａ３により塗布を一層確実に行うことができる。すなわち、マスカラブラシのブラシ毛材４の糸４ａは、ブラシ自由端部４ａ２が変形部４ａ３によって先端は軟弱な針状を無くすが、先端に変形加工を加えることで柔らかすぎることがなくなる。例えば、まつ毛９０に塗布するときは、図６（ａ）に示すように、マスカラブラシの中心方向にまつ毛９０が入り易いが、塗布終了でマスカラブラシからまつ毛９０を離す時に先端が余りに柔軟すぎると、まつ毛９０に対してマスカラブラシの動きが少しでも斜めになる。このとき、ブラシ自由端部４ａ２の先端がまつ毛９０の強度に負けて変形してしまうが、変形部４ａ３によってまつ毛９０の強度に負けて変形することがなくなり、まつ毛９０に多量に塗布されたマスカラを払拭することがない。
【００４３】
また、例えば、まつ毛９０の強度に負けてブラシ自由端部４ａ２の先端に変形が生じない方法として、ブラシ毛材４の糸４ａに対してまつ毛９０が直角であるような使い方を維持できれば、ブラシ自由端部４ａ２の先端を変形さすことはなく塗布が終了するが、直角を維持させた使い方を強制するわけにはいかない。また、まつ毛９０全体の形状は、上方に丸味があり顔面外方向に丸味があり、またまつ毛９０がそれぞれに未広がりとなっているので直角使用などできない。このように、塗布終了でまつ毛９０がブラシ自由端部４ａ２の先端に触れてしまうが、変形部４ａ３によってまつ毛９０の強度に負けて変形することがなくなり、まつ毛９０に多量に塗布されたマスカラを払拭することがない。
【００４４】
［第２の実施の形態］
この実施の形態の化粧用ブラシ１１は、図９に示すように、塗布液としてマスカラをまつ毛に塗布するように用いる場合とは別に、リップブラシ、アイシャドウブラシ、アイブロウブラシ等のように、塗布液を直接に皮膚に塗布するようなブラシである。
【００４５】
この実施の形態の化粧用ブラシ１１は、ブラシ毛材１４が第１の実施の形態のブラシ毛材４と同様に構成されるから説明を省略するが、シャフト１３は全体が断面円形の合成樹脂材料でなり、その先端に先端方向に突出する多数の糸１４ａの束でなるブラシ毛材１４を形成し、これによりブラシ本体１５を構成している。
【００４６】
ブラシ毛材１４の先端面の形状は、皮膚に対する塗布液の塗布形状に適合するように選定され、図９（ａ）の場合は、ブラシ毛材１４の糸１４ａを円柱状に束ねた外観形状をもつと共に、先端面が円形状を有する。
【００４７】
これにより、図９（ａ）のブラシ本体１５を有する化粧用ブラシ１１は、ブラシ毛材１４の先端面を皮膚に接触させて横方向に移動することにより、皮膚の比較的広い部位に塗布液を塗布することができる。
【００４８】
図９（ｂ）の場合は、ブラシ毛材１４の糸１４ａを偏平横長に束ねた外観形状をもつと共に、先端面が横長方向に傾斜した長楕円形状を有する。
【００４９】
これにより、図９（ｂ）のブラシ本体１５を有する化粧用ブラシ１１は、ブラシ毛材１４の先端面を皮膚に接触させて横長の方向に移動することにより、皮膚の比較的狭い部位に線状に塗布液を塗布することができる。
【００５０】
図９（ｃ）の場合は、ブラシ毛材１４の糸１４ａを円柱状に束ねた外観形状をもつと共に、先端面が円錐形状を有する。
【００５１】
これにより、図９（ｃ）のブラシ本体１５を有する化粧用ブラシ１１は、ブラシ毛材１４の先端面の突出部分を皮膚に接触させて横方向に移動することにより、皮膚の極く細い部位に塗布液を塗布することができる。
【００５２】
図９（ｄ）の場合は、ブラシ毛材１４の糸１４ａを偏平横長に束ねた外観形状をもつと共に、先端面が長手方向に向って２等辺形状に突出した帯形状を有する。
【００５３】
これにより、図９（ｄ）のブラシ本体１５を有する化粧用ブラシ１１は、ブラシ毛材１４の先端面の突出部分を皮膚に接触させて幅方向に移動することにより、皮膚の比較的狭い部位に線状に塗布液を塗布することができる。
【００５４】
［第３の実施の形態］
この実施の形態の化粧用ブラシ２１は、図１０に示すように、歯を磨くための歯ブラシである。
【００５５】
この実施の形態の化粧用ブラシ２１は、ブラシ毛材２４が第１の実施の形態のブラシ毛材４と同様に構成されるから説明を省略するが、基材２３のヘッドから外方にブラシ毛材２４の糸２４ａを延長させるようなブラシ本体２５を有する。
【００５６】
このようにブラシ本体２５は、図１０（ｂ）に示すように、前歯の裏側のような複雑な形状を持つ部分を磨くが、ブラシ毛材２４は第１の実施の形態のブラシ毛材４と同様に構成されるから、図１０（ｃ）に示すように、使用時にブラシ根元部２４ａ１によって強度があり、洗浄を確実に行うことが可能であり、しかもブラシ自由端部２４ａ２によって柔軟性があり、ブラシ自由端部２４ａ２が皮膚に接触した際に無用な刺激を与えるおそれがなく、歯垢を確実に除去することができる。
【００５７】
すなわち、歯ブラシのブラシ毛材２４は、ポリアミド、ポリアクリル、ポリエステルなどの樹脂繊維を用い、このブラシ毛材２４を切断して基材２３のヘッドに植毛し、ブラシ毛材２４の長さは、約１０．０ｍｍ〜１７．０ｍｍであり、歯９１の隙間又は奥の方までブラシ毛材２４が確実に届く。また、歯９１の変形、隙間が広い狭い、さらに隙間の形状が多種類であるから約１０．０ｍｍ〜１７．０ｍｍとしており、このような長さであってもブラシ根元部２４ａ１によって腰があることから、ブラシ自由端部２４ａ２が歯９１や歯肉に当たっても倒れたり曲がったりすることなく、歯９１の隙間又は奥の方まで届く。
【００５８】
また、ブラシ毛材２４の太さは、約０．０８ｍｍ以上では、ブラシ毛材２４の弓なり強さはあるが歯９１の間の狭い隙間に入らない、一方ブラシ毛材２４の太さが約０．０８ｍｍ以下０．０１ｍｍに近づくほど、ブラシ毛材２４の弓なり強さが弱く、歯９１の狭い隙間に強引に入り込む程の力がなく途中で折れ曲がってしまうことがある。したがって、ブラシ根元部２４ａ１の太さを約０．０８ｍｍ以上に選定し、ブラシ自由端部２４ａ２の太さを約０．０１ｍｍ〜０．０８ｍｍに選定し、好ましくは０．０１ｍｍ〜０．０６ｍｍに選定することで、ブラシ根元部２４ａ１によって強さがあることから、ブラシ自由端部２４ａ２が歯９１や歯肉に当たっても倒れたり曲がったりすることなく、歯９１の隙間又は奥の方まで届く。
【００５９】
さらに、図１０（ｃ）（ｄ）に示すように、ブラシ自由端部２４ａの先端に変形部２４ａ３を形成すると、変形部２４ａ３によって歯９１の隙間奥や歯周に対して掻き出すことができ、歯垢を確実に除去することができる。
【００６０】
［第４の実施の形態］
この実施の形態の掃除用ブラシ３１は、図１１に示すように、清掃などの掃除に用いるブラシである。
【００６１】
この実施の形態の掃除用ブラシ３１は、ブラシ毛材３４が第１の実施の形態のブラシ毛材４と同様に構成されるから説明を省略するが、基材３３から外方にブラシ毛材３４の糸３４ａを延長させるようなブラシ本体３５を有する。
【００６２】
このようにブラシ本体３５は、図１１（ｂ）に示すように、例えばピアノの鍵盤９２のような狭い隙間の清掃を行うが、ブラシ毛材３４は第１の実施の形態と同様に構成されるから、使用時にブラシ根元部３４ａ１によって強さがあり、清掃を確実に行うことが可能であり、しかもブラシ自由端部３４ａ２によって柔軟性があり、ブラシ自由端部３４ａ２が鍵盤９２の狭い隙間のごみを確実に除去することができる。
【００６３】
すなわち、ブラシ毛材３４は、ポリアミド、ポリアクリル、ポリエステルなどの樹脂繊維を用い、このブラシ毛材３４を切断して基材３３のヘッドに植毛しており、ブラシ根元部３４ａ１によって強さがあることから、ブラシ自由端部３４ａ２が鍵盤９２に当たっても倒れたり曲がったりすることなく、鍵盤９２の隙間又は奥の方まで届く。
【００６４】
さらに、図１３（ｃ）に示すように、ブラシ自由端部３４ａの先端に変形部３４ａ３を形成することで、変形部３４ａ３によって鍵盤９２の隙間や奥に対してごみを掻き出して確実に除去することができる。
【産業上の利用可能性】
【００６５】
この発明は、塗布や洗浄、さらには清掃などを行うブラシ用具に適用可能であり、塗布や洗浄、さらには清掃などを確実に行うことが可能である。
【符号の説明】
【００６６】
１，１１，２１  化粧用ブラシ
２，１２，２２，３２  支持部
３，１３，２３，３３  基材
４，１４，２４，３４  ブラシ毛材
４ａ，１４ａ，２４ａ，３４ａ  糸
４ａ１，１４ａ１，２４ａ１，３４ａ１  ブラシ根元部
４ａ２，１４ａ２，２４ａ２，３４ａ２  ブラシ自由端部
４ａ３，１４ａ３，２４ａ３，３４ａ３  変形部
５，１５，２５，３５  ブラシ本体
３１  掃除用ブラシ
【図１】
2012034892.tif 000003
【図２】
2012034892.tif 000004
【図３】
2012034892.tif 000005
【図４】
2012034892.tif 000006
【図５】
2012034892.tif 000007
【図６】
2012034892.tif 000008
【図７】
2012034892.tif 000009
【図８】
2012034892.tif 000010
【図９】
2012034892.tif 000011
【図１０】
2012034892.tif 000012
【図１１】
2012034892.tif 000013